(57)【要約】【課題】  簡易な構成で音導チューブとイヤチップを容易に連結することができる耳かけ型補聴器を提供する。【解決手段】  補聴器本体２に設けたイヤホンの出力音を外耳道へ導く音導チューブ３とイヤチップ４を備えた耳かけ型補聴器１において、音導チューブ３の片側端部に鍔部６を設け、イヤチップ４に音導チューブ３を挿通する貫通孔７と、この貫通孔７が外耳道に臨む開口部に鍔部６が係合する凹部８を設け、この凹部８内に鍔部６を遊嵌させる留め手段を設ける。留め手段としては、凹部８に嵌合する留め部材１１又は凹部８の壁面８ａに突設した凸部１０とすることができる。また、留め部材を耳垢チップ１２とすることもできる。【選択図】        図４
2011044760.tif 000002
【特許請求の範囲】
【請求項１】
補聴器本体に設けたイヤホンの出力音を外耳道へ導く音導チューブとイヤチップを備えた耳かけ型補聴器において、前記音導チューブの片側端部に鍔部を設け、前記イヤチップに前記音導チューブを挿通する貫通孔と、この貫通孔が外耳道に臨む開口部に前記鍔部が係合する凹部を設け、この凹部内に前記鍔部を遊嵌させる留め手段を設けることを特徴とする耳かけ型補聴器。
【請求項２】
請求項１記載の耳かけ型補聴器において、前記音導チューブの外形、前記貫通孔、前記鍔部の外縁及び前記凹部が円形形状であることを特徴とする耳かけ型補聴器。
【請求項３】
請求項１又は２記載の耳かけ型補聴器において、前記留め手段が、前記凹部に嵌合する留め部材であることを特徴とする耳かけ型補聴器。
【請求項４】
請求項１又は２記載の耳かけ型補聴器において、前記留め手段が、前記凹部の壁面に突設した凸部であることを特徴とする耳かけ型補聴器。
【請求項５】
請求項３記載の耳かけ型補聴器において、前記留め部材が耳垢チップであることを特徴とする耳かけ型補聴器。
【請求項６】
請求項１記載の耳かけ型補聴器において、前記鍔部の外縁の形状と前記凹部の壁面がなす形状を夫々略小判型形状にすることを特徴とする耳かけ型補聴器。
【発明の詳細な説明】
【技術分野】
【０００１】
本発明は、補聴器本体に設けたイヤホンの出力音を外耳道へ導く音導チューブとイヤチップを備えた耳かけ型補聴器に関する。
【背景技術】
【０００２】
イヤチップには、使用者の外耳道の形状に合わせるカスタムイヤチップがあり、また外耳道内から外部への音漏れを減らす密閉型と、こもり感などが生じないように開放して使用する開放型がある。
このようなイヤチップに音導チューブを連結するためのコネクタを用意し、コネクタ及び音導チューブには夫々スナップ嵌め係合手段及び相互回転方向規定手段が備えられている耳かけ型補聴器が開示されている（例えば、特許文献１参照）。そして、コネクタ（ペグ）なる部品を取り付けた音導チューブとイヤチップの連結は容易になる。
【先行技術文献】
【特許文献】
【０００３】
【特許文献１】特表２００９−５００９２６号公報
【発明の概要】
【発明が解決しようとする課題】
【０００４】
しかし、特許文献１に記載の発明においては、音導チューブにコネクタが必要となるため、コネクタ成形用の金型が必要になると共に、部品管理や音導チューブへのコネクタ取付作業などが増える。
また、コネクタ及び音導チューブはスナップ嵌め係合手段及び相互回転方向規定手段を備えているので、音導チューブのコネクタとイヤチップを連結すると、これらの位置には自由度がなくなる。そのため、使用者が補聴器を装着したときには、一義的に位置関係が定まるように煩雑な調整をしなければならない。
【０００５】
本発明は、従来の技術が有するこのような問題点に鑑みてなされたものであり、その目的とするところは、簡易な構成で音導チューブとイヤチップを容易に連結することができる耳かけ型補聴器を提供しようとするものである。
【課題を解決するための手段】
【０００６】
上記課題を解決すべく本発明は、補聴器本体に設けたイヤホンの出力音を外耳道へ導く音導チューブとイヤチップを備えた耳かけ型補聴器において、前記音導チューブの片側端部に鍔部を設け、前記イヤチップに前記音導チューブを挿通する貫通孔と、この貫通孔が外耳道に臨む開口部に前記鍔部が係合する凹部を設け、この凹部内に前記鍔部を遊嵌させる留め手段を設けるものである。
【０００７】
前記音導チューブの外形、前記貫通孔、前記鍔部の外縁及び前記凹部を円形形状にすることができる。また、前記留め手段を前記凹部に嵌合する留め部材又は前記凹部の壁面に突設した凸部とすることができる。前記留め部材を耳垢チップとすることもできる。更に、前記鍔部の外縁の形状と前記凹部の壁面がなす形状を夫々略小判型形状にすることができる。
【発明の効果】
【０００８】
本発明によれば、簡易な部品の構成で音導チューブとイヤチップを容易に連結することができる。また、交換が必須の音導チューブとイヤチップの交換コストが低減される。
【０００９】
また、音導チューブの外形、貫通孔、鍔部の外縁及び凹部を円形形状にすれば、音導チューブに対してイヤチップが回動自在になるので、補聴器本体と外耳道の位置関係が様々な使用者にとって、快適な装用状態にするための装着調整が容易になる。
【００１０】
留め手段を凹部に嵌合する留め部材とすれば、組立工数の低減が図れる。留め手段を凹部の壁面に突設した凸部とすれば、光造形法でイヤチップと一体に成形できるので、部品点数の削減や組立工数の低減が図れる。また、留め部材を耳垢チップにすれば、耳垢の侵入防止と部品点数の削減が図れる。
【００１１】
更に、鍔部の外縁の形状と凹部の壁面がなす形状を夫々略小判型形状にすれば、音導チューブに対するイヤチップの自由度を必要以上持たせることがなく、音導チューブに対してイヤチップが適度に回動するので、補聴器本体と外耳道の位置関係が様々な使用者にとって、快適な装用状態にするための装着調整が容易になる。
【図面の簡単な説明】
【００１２】
【図１】本発明に係る耳かけ型補聴器の斜視図
【図２】音導チューブを示し、（ａ）は正面図、（ｂ）は側面図、（ｃ）は断面図
【図３】イヤチップを示し、（ａ）は斜視図、（ｂ）は断面図、（ｃ）留め手段として凹部の壁面に凸部を形成した場合の断面図
【図４】音導チューブとイヤチップの係合状態を示し、（ａ）は留め手段として留め部材を用いた場合の断面図、（ｂ）は留め手段として凹部の壁面に突設した凸部を用いた場合の断面図、（ｃ）は留め部材として耳垢チップを用いた場合の断面図
【図５】鍔部の外縁の形状と凹部の壁面がなす形状を夫々略小判型形状にした場合で、（ａ）は音導チューブの正面図、（ｂ）は凹部の正面図、（ｃ）は音導チューブとイヤチップの係合状態を示す正面図
【発明を実施するための形態】
【００１３】
以下に本発明の実施の形態を添付図面に基づいて説明する。本発明に係る耳かけ型補聴器１は、図１に示すように、補聴器本体２、音導チューブ３、イヤチップ４などからなる。５は電池ホルダである。補聴器本体２には、音を収集するマイクロホン、補聴処理部としてのＤＳＰ（Digital Signal Processor）や音を出力するイヤホンなどの部品が収納されている。そして、補聴器本体２内に設けられたイヤホンからの出力音は、音導チューブ３とイヤチップ４を介して外耳道へ導かれる。
【００１４】
音導チューブ３は、ナイロン系樹脂で形成され、図２（ａ）に示すように、断面が実質的に円形形状で、使用者のサイズに合わせ、前もって曲げ加工されている。音導チューブ３の片側端部には、図２（ｂ），（ｃ）に示すように、鍔部６が形成されている。
【００１５】
イヤチップ４は、カスタムイヤチップとして製造され、図３（ａ），（ｂ）に示すように、円形形状の貫通孔７と、この貫通孔７が外耳道に臨む開口部に円形形状の凹部８を設けている。９はベントである。貫通孔７の内径は、音導チューブ３の外径よりも大きい。凹部８には、図３（ｃ）に示すように、留め手段として壁面８ａに突設する環状の凸部１０を一体で形成することができる。
【００１６】
イヤチップ４は、使用者の耳型から三次元データを作成し、この三次元データを基に光造形装置を用いて、音導チューブ３を通す貫通孔７や鍔部６と係合する凹部８などの形状が成形される。光造形に際しては、アクリル系樹脂やエポキシ系樹脂などの光硬化性樹脂が用いられる。
【００１７】
音導チューブ３にイヤチップ４を取り付けるには、先ず曲げ加工済で鍔部６を形成していない音導チューブ３をイヤチップ４の貫通孔７に挿通する。音導チューブ３が凹部８から、例えば１〜２ｃｍ引き出した状態にする。そして、凹部８から引き出された音導チューブ３の先端に外縁が円形状の鍔部６を設ける。なお、鍔部６の外径は、凹部８の内径よりも小さい。
【００１８】
鍔部６の作製方法としては、音導チューブ３の先端を、熱源を用いて、適度な温度で加熱し、先端が軟化して柔らかく、且つ孔が塞がらない状態で熱源から離す。直後に、この先端の軟化部分を潰すことで、先端に図２（ｂ），（ｃ）に示す鍔部６が形成される。この鍔部６の形状などは、後処理で加工すればよい。
【００１９】
次いで、鍔部６が凹部８の底面８ｂに当接するように音導チューブ３を引き、凹部８に略円筒形状の留め部材１１を嵌合する。凹部８の底面８ｂと留め部材１１の間には、鍔部６の厚みよりも大きい隙間が形成される。すると、図４（ａ）に示すように、鍔部６が凹部８内で遊嵌状態になり、音導チューブ３にイヤチップ４が取り付けられる。
【００２０】
また、留め手段として凹部８の壁面８ａに突設した環状の凸部１０を用いた場合には、鍔部６が凹部８の底面８ｂに当接するように音導チューブ３を引くと、鍔部６が弾性変形して、凹部８の底面８ｂと凸部１０が対向する空間内に収納される。そして、凹部８の底面８ｂと凸部１０の間には、鍔部６の厚みよりも大きい隙間が形成されているので、図４（ｂ）に示すように、鍔部６が凹部８内で遊嵌状態になり、音導チューブ３にイヤチップ４が取り付けられる。
【００２１】
また、留め部材として耳垢チップ１２を用いた場合には、鍔部６が凹部８の底面８ｂに当接するように音導チューブ３を引き、凹部８に略円筒形状の耳垢チップ１２を嵌合する。凹部８の底面８ｂと耳垢チップ１２の間には、鍔部６の厚みよりも大きい隙間が形成される。すると、図４（ｃ）に示すように、鍔部６が凹部８内で遊嵌状態になり、音導チューブ３にイヤチップ４が取り付けられる。
なお、凹部８に略円筒形状の留め部材１１を嵌合した後に、更に留め部材１１にサイズが合致する耳垢チップ１２を嵌合することもできる。
【００２２】
鍔部６の外縁の形状と凹部８の壁面８ａがなす形状を、図５（ａ），（ｂ）に示すように、左右の端部を取り除いて夫々略小判型形状にした場合には、鍔部６と凹部８の係合状態は、図５（ｃ）に示すように、イヤチップ４が左右に回動しても、必要以上に回動すると鍔部６と凹部８の壁面８ａが当接するので、適度な範囲に回動角度を限定することができる。なお、図５（ｃ）では、留め手段の図示を省略している。
【産業上の利用可能性】
【００２３】
本発明によれば、簡易な部品の構成で音導チューブとイヤチップが容易に連結され、交換が必須の音導チューブとイヤチップの交換コストが低減され、快適な装用状態にするための装着調整が容易になる耳かけ型補聴器を提供することができる。
【符号の説明】
【００２４】
１…耳かけ型補聴器、２…補聴器本体、３…音導チューブ、４…イヤチップ、６…鍔部、７…貫通孔、８…凹部、８ａ…壁面、８ｂ…底面、１０…凸部、１１…留め部材、１２…耳垢チップ。
【図１】
2011044760.tif 000003
【図２】
2011044760.tif 000004
【図３】
2011044760.tif 000005
【図４】
2011044760.tif 000006
【図５】
2011044760.tif 000007